(57)【要約】【課題】従来の連結コードは、部品点数が多いと共に、部品の固定作業が必要であるから、その分コスト高になるという問題点があった。【解決手段】伸縮自在なコード本体１の両端に、基端に固定環１１を有し且つ固定環１１に対して先端から挿通可能な連結索１２を一体に備えると共に、固定環１１と連結索１２に、挿通方向と逆方向の移動を規制する抜け止め手段として小径部１１と矢尻状の頭部１２ｃを備えた連結コードＣ１とし、低コスト化を実現すると共に、物品や固定部位に対する取り付けを簡単に行うことができるものとした。【選択図】        図１
2004248778.tif 000002
【特許請求の範囲】
【請求項１】
伸縮自在なコード本体の両端に、基端に固定環を有し且つ固定環に対して先端から挿通可能な連結索を一体に備えると共に、固定環と連結索に、挿通方向と逆方向の移動を規制する抜け止め手段を備えたことを特徴とする連結コード。
【請求項２】
少なくともコード本体、固定環及び連結索の先端部分が樹脂製であって、コード本体が、波形状を成していることを特徴とする請求項１に記載の連結コード。
【請求項３】
少なくともコード本体、固定環及び連結索の先端部分が樹脂製であって、コード本体が、螺旋状を成していることを特徴とする請求項１に記載の連結コード。
【発明の詳細な説明】
【０００１】
【発明の属する技術分野】
本発明は、物品の盗難防止や紛失防止などを図るために、物品を固定部位に連結しておくのに用いられる連結コードに関するものである。
【０００２】
【従来の技術】
上記の連結コードは、例えば商店において、携帯電話やカメラ、又は比較的小型の家電製品などのサンプル商品を展示する際に用いられており、一端部をサンプル商品に連結すると共に、他端部を展示台等の固定部位に連結する。この種の連結コードは、サンプル商品を展示した際に邪魔にならず且つサンプル商品を手に取ることができるように伸縮可能としたものが多く、従来においては、樹脂製の線材をコイル状に成形し、その両端に金属製の連結具をかしめ等の手段により固定したものがあった。
【０００３】
【発明が解決しようとする課題】
ところが、上記したような従来の連結コードにあっては、当然のことながら連結コードの本体である線材と２つの連結具が必要であると共に、製造には各連結具の固定作業を伴うので、その分コスト高になるという問題点があり、このような問題点を解決することが要望されていた。
【０００４】
【発明の目的】
本発明は、上記従来の状況に鑑みて成されたもので、低コスト化を実現することができ、さらに、物品や固定部位に対する取り付けを簡単に行うことができる連結コードを提供することを目的としている。
【０００５】
【課題を解決するための手段】
本発明の連結コードは、請求項１として、伸縮自在なコード本体の両端に、基端に固定環を有し且つ固定環に対して先端から挿通可能な連結索を一体に備えると共に、固定環と連結索に、挿通方向と逆方向の移動を規制する抜け止め手段を備えた構成とし、請求項２として、少なくともコード本体、固定環及び連結索の先端部分が樹脂製であって、コード本体が、波形状を成している構成とし、請求項３として、少なくともコード本体、固定環及び連結索の先端部分が樹脂製であって、コード本体が、螺旋状を成している構成としており、上記構成をもって従来の課題を解決するための手段としている。
【０００６】
【発明の作用】
本発明の請求項１の連結コードは、コード本体の両端に、固定環を有する連結索を一体に備えているので、それ以外の部品が不要である。そして、物品や固定部位の孔などの適当な部位に連結索を通し、この連結索を固定環に挿通させるだけで取り付け完了となる。このとき、連結コードは、抜け止め手段により、連結索が挿通方向と逆方向に移動するのを規制し、物品や固定部位との連結状態を維持する。
【０００７】
本発明の請求項２の連結コードは、少なくともコード本体、固定環及び連結索の先端部分が樹脂製であると共に、コード本体を波形状としたので、成形型を用いた既知の樹脂成形法によって容易に一体成形し得るものとなり、また、連結索として、その先端部分以外に紐を使用する場合においても、この紐をセットして樹脂をモールドする要領で一体成形し得るものとなる。
【０００８】
本発明の請求項３の連結コードは、少なくともコード本体、固定環及び連結索の先端部分が樹脂製であると共に、コード本体を螺旋状としたので、例えば、成形型を用いた既知の樹脂成形法と、コード本体の巻回成形によって容易に成形し得るものとなり、また、連結索として、その先端部分以外に紐を使用する場合においても、この紐をセットして樹脂をモールドする要領で一体成形し得るものとなる。
【０００９】
【発明の効果】
本発明の請求項１の連結コードによれば、全体を一体化したことから、従来の如き連結具やその固定作業が不要になり、低コスト化を実現することができ、また、抜け止め手段を備えた固定環及び連結索を採用したことにより、物品や固定部位に対する取り付けを至極簡単に行うことができると共に、簡単な構造で充分な連結状態を得ることができる。
【００１０】
本発明の請求項２の連結コードによれば、請求項１と同様の効果を得ることができるうえに、少なくともコード本体、固定環及び連結索の先端部分を樹脂製にすると共に、コード本体を波形状としたので、成形型を用いた既知の樹脂成形法によって容易に一体成形することが可能であって、生産性の向上やさらなる低コスト化を実現することができる。
【００１１】
本発明の請求項３の連結コードによれば、請求項１と同様の効果を得ることができるうえに、少なくともコード本体、固定環及び連結索の先端部分を樹脂製にすると共に、コード本体を螺旋状としたので、成形型を用いた既知の樹脂成形法とコード本体の巻回成形によって容易に得ることが可能であって、生産性の向上やさらなる低コスト化を実現することができ、また、コード本体がより柔軟に伸縮するものとなる。
【００１２】
また、本発明の請求項２及び請求項３の連結コードによれば、樹脂製としたことから、細くて充分な強度を有するものを提供することが可能であり、例えば小型商品の展示において、当該連結コードを目立たないものにすることができ、これにより商品のアピール性も高められることとなり、さらに、商品を取り外すために切断したものや不要になったものをリサイクルすることも可能である。
【００１３】
【実施例】
図１は本発明の連結コードの第１実施例を示す図である。
図１（ａ）に示す連結コードＣ１は、伸縮自在なコード本体１の両端に、基端に固定環１１を有し且つ固定環１１に対して先端から挿通可能な連結索１２を一体に備えている。
【００１４】
コード本体１は、伸縮を自在にする形態としてジグザグの波形状を成し、両端に固定環１１，１１が連続して設けてある。固定環１１は、円形であって、図１（ｂ）に断面を示すように、内部中央に、環状の突部により小径部１１ａが設けてある。また、連結索１２は、固定環１１に連続する細線部１２ａと、細線部１２ａよりも太い先端部分１２ｂを有し、先端部分１２ｂには、図１（ｂ）に示すように、矢尻状の頭部１２ｃと、頭部１２ｃのやや後方に位置する略球状の膨出部１２ｄが形成してある。
【００１５】
上記の連結索１２は、固定環１１に対して、頭部１２ｃを弾性変形させつつ小径部１１ａに挿通させると、図１（ｂ）に示す如く小径部１１ａよりも大径の膨出部１２ｄによってそれ以上の挿通が阻止され、且つ変形から復帰した頭部１２ｃが小径部１１ａに引っ掛って抜けが阻止される。つまり、この実施例では、とくに、固定環１１の小径部１１ａと連結索１２の頭部１２ｃにより、挿通方向と逆方向の移動を規制する抜け止め手段を構成している。
【００１６】
また、連結コードＣ１は、樹脂製であって、例えば、ポリエチレン、ポリプロピレン、ポリウレタン、ポリアミド系樹脂、ＥＶＡ（エチレン・酢酸ビニル共重合体）及びエラストマーなどの各種樹脂から選択した材料が用いられる。
【００１７】
このように、連結コードＣ１は、樹脂製であると共に、コード本体１を波形状としているので、成形型を用いた既知の樹脂成形法で全体を一体成形することができ、それ以外の部品を何ら必要としないので、生産性の向上や低コスト化を実現し得るものとなる。なお、連結索１２の細線部１２ａにあっては、図示の状態よりも太く且つ短く成形し、その後、適宜加熱して細長く引き伸ばすことにより形成することもできる。
【００１８】
そして、連結コードＣ１は、例えば物品である携帯電話の展示に用いる場合、図１（ｃ）に示すように、携帯電話Ａのストラップ取付け部Ｂに一方の連結索１２を通し、この連結索１２を固定環１１に挿通させ、また、固定部位である展示台Ｃの孔部Ｄに他方の連結索１２を通し、この連結索１２を固定環１１に挿通させるだけで取り付け完了となる。
【００１９】
このとき、連結コードＣ１は、先の抜け止め手段により、固定環１１から連結索１２が離脱するのを阻止し、携帯電話Ａや展示台Ｃとの連結状態を確実に維持する。また、コード本体１が伸縮自在であるから、展示状態において邪魔になることがなく、展示台Ｃから携帯電話Ａを取り上げるのにも支障がない。さらに、連結コードＣ１は、材料である樹脂の選択により、細くて充分な強度を得ることが可能であるから、例えば小型商品の展示において、当該連結コードＣ１を目立たないものにすることができ、これにより商品のアピール性も高められる。
【００２０】
図２は本発明の連結コードの第２実施例を示す図である。
図２（ａ）に示す連結コードＣ２は、ジグザグの波形状を成すことで伸縮自在であるコード本体１の両側に、矩形の固定環２１と、帯状の連結索２２を一体に備えている。固定環２１の内側には、図２（ｂ）に示すように、先端に爪部２１ａを有するばね片２１ｂが設けてある。これに対して、連結索２２には、所定の長さにわたって鋸歯状の凹凸２２ａが形成してある。
【００２１】
つまり、この実施例では、固定環２１の爪部２１ａ及びばね片２２ｂと、連結索２２の凹凸２２ａによって抜け止め手段を構成しており、固定環２１に連結索２２を挿通させると、ばね片２１ｂの弾性変形を伴って爪部２１ａと凹凸２２ａが係合し、この際、ばね片２１ｂの爪部２１ａと凹凸部２２ａがラッチの働きをする。したがって、連結索２１は、挿通方向すなわち締める方向に移動可能であり、その逆方向の移動が阻止される。この連結コードＣ２にあっても、先の実施例と同様の効果を得ることができる。
【００２２】
図３は本発明の連結コードの第３実施例を示す図である。
図３（ａ）に示す連結コードＣ３は、ジグザグの波形状を成して伸縮自在なコード本体１の両側に、円形の固定環３１と、連結索３２を一体に備えている。固定環３１は、図３（ｂ）に示すように、複数のスリット３１ａを形成した円錐部３１ｂを有している。これに対して、連結索３２は、細線部３２ａと、尖頭状の頭部３２ｂを有する先端部分３２ｃを備え、細線部３２ａには、略円錐状の係合突部３２ｄが一定間隔で形成してある。
【００２３】
つまり、この実施例では、固定環３１のスリット３１ａ及び円錐部３１ｂと連結索３２の係合突部３２ｄによって抜け止め手段を構成しており、固定環３１に連結索３２を挿通させると、円錐部３１ｂを弾性変形させつつ係合突部３２ｄが通過し、この係合突部３２ｄが円錐部３１ｂの頂部に引っ掛る。したがって、連結索３１は、挿通方向すなわち締める方向に移動可能であり、その逆方向の移動が阻止される。この連結コードＣ３にあっても、先の実施例と同様の効果を得ることができる。
【００２４】
図４は本発明の連結コードの第４実施例を示す図である。
図示の連結コードＣ４は、図１に示す第１実施例の連結コードＣ１とほぼ同様の構成であって、コード本体１と、小径部４１ａを有する固定環４１と、細線部４２ａ、先端部分４２ｂ、頭部４２ｃ及び膨出部４２ｄを有する連結索４２を備えているが、連結索４２の細線部４２ａが、例えば樹脂製の紐で構成してある。この場合には、予め成形型内に細線部４２ａをセットしてから、樹脂をモールドする要領で成形することにより、コード本体１、固定環４１及び連結索４２を一体化することができる。この連結コードＣ４にあっても、先の実施例と同様の効果を得ることができる。
【００２５】
図５は本発明の連結コードの第５実施例を示す図である。
図示の連結コードＣ５は、図１に示す第１実施例の連結コードＣ１とほぼ同様の構成であって、小径部５１ａを有する固定環５１と、細線部５２ａ、先端部分５２ｂ、頭部５２ｃ及び膨出部５２ｄを有する連結索５２を備えており、コード本体２が、伸縮を自在にする形態として螺旋状を成すものとなっている。この場合には、例えばコード本体２を直線状にして全体を一体成形した後、コード本体２を適宜加熱して巻回することにより、同コード本体２を螺旋状に成形することができる。この連結コードＣ５にあっても、先の実施例と同様の効果を得ることができ、また、コード本体２を螺旋状にしたので、より柔軟な伸縮性を得ることができる。
【００２６】
なお、本発明の連結コードは、詳細な構成が上記各実施例のみに限定されることはなく、例えば、コード本体を曲線状やクランク状などの波形にすることができると共に、固定環及び連結索の形態や、抜け止め手段の構成を適宜変更することができる。また、連結コードは、図１（ｃ）に携帯電話と展示台への適用を示したように、商店におけるサンプル商品の展示に好適であると共に、筆記用具等の小物類の連結や、吊り下げ式のＰＯＰ用品など様々な用途がある。
【図面の簡単な説明】
【図１】本発明の連結コードの第１実施例を示す説明図（ａ）、固定環と連結索の係合部分を示す断面図（ｂ）及び連結コードの使用例を示す斜視図（ｃ）である。
【図２】本発明の連結コードの第２実施例を示す片側省略の説明図（ａ）、固定環と連結索の係合部分を示す断面図（ｂ）である。
【図３】本発明の連結コードの第３実施例を示す片側省略の説明図（ａ）、固定環と連結索の係合部分を示す断面図（ｂ）である。
【図４】本発明の連結コードの第４実施例を示す片側省略の説明図である。
【図５】本発明の連結コードの第５実施例を示す片側省略の斜視説明図である。
【符号の説明】
Ｃ１〜Ｃ５  連結コード
１  ２      コード本体
１１  ２１  ３１  ４１  ５１    固定環
１２  ２２  ３２  ４２  ５２    連結索
１１ａ      小径部（抜け止め手段）
１２ｃ      頭部（抜け止め手段）
２１ａ      爪部（抜け止め手段）
２１ｂ      ばね片（抜け止め手段）
２２ａ      凹凸部（抜け止め手段）
３１ａ      スリット（抜け止め手段）
３１ｂ      円錐部（抜け止め手段）
３２ｄ      係合突部（抜け止め手段）
４１ａ      小径部（抜け止め手段）
４２ｃ      頭部（抜け止め手段）
５１ａ      小径部（抜け止め手段）
５２ｃ      頭部（抜け止め手段）
【図１】
2004248778.tif 000003
【図２】
2004248778.tif 000004
【図３】
2004248778.tif 000005
【図４】
2004248778.tif 000006
【図５】
2004248778.tif 000007